(57)【特許請求の範囲】
【請求項１】
開閉自在に並列したろ板（５，５）間に一対のろ布（１７，１７）を配設し、ろ板（５）の上方のスプロケット（１０）に巻き掛けた駆動チェーン（２６）の一端にろ布（１７，１７）を吊設する上部ろ布芯金（１９）を連結し、ろ板（５）の下方に設けた一対のリターンロール（１３，１３）にろ布（１７，１７）の下端部を掛け回して駆動チェーン（２６）の他端に連結して、ろ布（１７）を昇降自在としたフィルタープレスにおいて、
並列したろ板（５，５）の上部に閉板方向に傾倒自在にＬ形リンク（３１）を配設し、閉板時に上部ろ布芯金（１９）の上部近傍に覆うよう配設して、開板時にＬ形リンク（３１）を上部ろ布芯金（１９）に係合させて開板方向にろ布（１７，１７）を引張することを特徴とするろ布走行型フィルタープレスにおける付着ろ布の引き剥し装置。
【請求項２】
上記ろ板（５）に立設したリンク取付座（２８）にバネ内蔵型のリンクピン（２９）を支架させ、リンクピン（２９）に連結したＬ形リンク（３１）を傾倒させて、Ｌ形リンク（３１）を上部ろ布芯金（１９）の上部近傍に覆うよう配設させることを特徴とする請求項１に記載のろ布走行型フィルタープレスにおける付着ろ布の引き剥し装置。
【請求項３】
上記リンク取付座（２８）に突設したストッパー（３０）にＬ形リンク（３１）を係止して水平状態に傾倒させることを特徴とする請求項２に記載のろ布走行型フィルタープレスにおける付着ろ布の引き剥し装置。
【発明の詳細な説明】
【技術分野】
【０００１】
この発明は、上水汚泥、下水汚泥、または、産業排水汚泥等を処理するろ布走行型フィルタープレスに関し、特に、ろ布間に生成されたケーキを排出する時に、ろ板に付着しているろ布の引き剥し装置に関する。
【背景技術】
【０００２】
従来、大容量の原液を処理するフィルタープレスは、ろ過サイクル時間を短縮するために、ろ板間に吊設するろ布を走行させてケーキの排出時間を短縮している。
ろ板間に一対のろ布を設け、ろ布の上端部を駆動チェーンに連結し、ろ板の前後のろ布の下端部をリターンロールに掛け回し駆動チェーンに連結するろ布走行型フィルタープレスは特許文献１に開示してある。
【先行技術文献】
【特許文献】
【０００３】
【特許文献１】特許第３８１５４３３号公報（請求項１、図２及び図４）
【発明の概要】
【発明が解決しようとする課題】
【０００４】
上記従来のろ布の吊設装置は、ろ布に駆動チェーンをエンドレス状に連結し、ろ板上部のスプロケットとろ板下部のリターンロールの間に昇降自在にろ布を吊設している。
特許文献１に記載のろ布の吊設装置は、ろ過中のろ布が前後のろ板に締付けられ原液の圧入圧で固液分離するため、開板しても一方のろ板に付着した状態となりやすい。特に、ろ布のシール漏れを防ぐためにろ板の周縁部に目止め加工を施したろ布や、ろ板の片方に圧搾脱水するためにダイアフラムを配設したろ布は、ろ板への付着が頻繁に発生する。
ろ布がろ板に付着した状態で、ろ布を下方に走行させるためスプロケットを回転させると、駆動チェーンに連結する上部ろ布芯金が下降し、下部ろ布芯金は上昇する。ろ布はろ板に付着しているため下降しないが、ろ板下方のリターンロールに掛け回したろ布は緩みを持たせており、ろ布張りの緩みなど各部の緩みがろ板上部のスプロケットに集約され、駆動チェーンがたくれる。その結果、駆動チェーンに緩みを発生してスプロケットから外れ、或は駆動チェーンの駒飛びが起きるトラブルが発生する
この発明は、ろ布とろ板の付着に基づくスプロケットに巻き掛けた駆動チェーンのたくれ、緩みを防止して、スプロケットからの外れ、或は駆動チェーンの駒飛びが起きるトラブルを解消するろ布走行型フィルタープレスにおける付着ろ布の引き剥し装置を提供する。
【課題を解決するための手段】
【０００５】
この発明の要旨は、開閉自在に並列したろ板間に一対のろ布を配設し、ろ板の上方のスプロケットに巻き掛けた駆動チェーンの一端にろ布を吊設する上部ろ布芯金を連結し、ろ板の下方に設けた一対のリターンロールにろ布の下端部を掛け回して駆動チェーンの他端に連結して、ろ布を昇降自在としたフィルタープレスにおいて、並列したろ板の上部に閉板方向に傾倒自在にＬ形リンクを配設し、閉板時に上部ろ布芯金の上部近傍に覆うよう配設して、開板時にＬ形リンクを上部ろ布芯金に係合させて開板方向にろ布を引張するもので、ろ板から遠ざかる方向にろ布を引張して、ろ板に付着したろ布を引き剥がすことができる。
【０００６】
詳しくは、ろ板に立設したリンク取付座にバネ内蔵型のリンクピンを支架させて、リンクピンに連結したＬ形リンクを傾倒させて、Ｌ形リンクを上部ろ布芯金の上部近傍に覆うよう配設させるもので、開板時に特別な動力を必要とせずにろ板に付着したろ布を引き剥がすことができる。ろ布張りの緩みなど各部の緩みがろ板上部のスプロケットに集約されて駆動チェーンのたくれ、緩みが発生しても、ろ布の下降初期のスプロケットでの駆動チェーンの緩みが発生せず、駆動チェーンのスプロケットから外れ、或は駆動チェーンの駒飛びが発生することがない。
そして、リンク取付座に突設したストッパーにＬ形リンクを係止して水平状態に傾倒させるので、Ｌ形リンクを上部ろ布芯金に係合させて開板方向にろ布を引張しても外れることがない。
【発明の効果】
【０００７】
この発明に係るろ布走行型フィルタープレスにおける付着ろ布の引き剥し装置は上記のように構成してあり、ケーキ排出時のろ布下降走行の初期に、ろ布とろ板の付着により、ろ布張りの緩みなど各部の緩みがろ板上部のスプロケットに集約され、駆動チェーンがたくれ、緩みが発生する恐れがあるが、ろ板の開板時にろ布を吊設する上部ろ布芯金をＬ形リンクにより開板方向に引張し、ろ板に付着したろ布を引き剥がすことが出来る。駆動チェーンの緩みがなく、駆動チェーンがスプロケットから外れ、或は駆動チェーンの駒飛びが起きる等のトラブルが発生せず、引き剥がすための特別な動力も不要である。
【図面の簡単な説明】
【０００８】
【図１】本願発明に用いるフィルタープレスの概略側面図である。
【図２】同じく、ろ布を吊設するろ板組品の正面図である。
【図３】同じく、ろ板間に吊設する一対のろ布の斜視図である。
【図４】同じく、ろ板間に一対のろ布を吊設するフィルタープレスの要部側面図である。
【図５】本願発明に係る、付着ろ布の引き剥し装置の正面図である。
【図６】同じく、付着ろ布の引き剥し装置の側面図である。
【図７】同じく、付着ろ布の引き剥し装置の平面図である。
【図８】同じく、並列するろ板の開板初期の要部側面図である。
【図９】同じく、並列するろ板の開板後期の要部側面図である。
【図１０】同じく、ケーキ排出後にろ板間のろ布を所定位置に上昇させる状態を示す要部側面図である。
【発明を実施するための形態】
【０００９】
本願発明の実施例を図面に基づき詳述すると、図１はこの発明に使用するフィルタープレスの概略側面図であって、フィルタープレス１はフロントフレーム２とリアーフレーム３に橋架した一対のガイドレール４，４に多数のろ板５・・・を並列し、フロントフレーム２にろ板５・・・を開閉させる開閉シリンダー６を支架してある。
【００１０】
図２はろ布を吊設するろ板組品の正面図であって、フロントフレーム２とリアーフレーム３に橋架した一対のガイドレール４，４にろ板５のろ板アーム７，７を支架してある。ろ板５の上部に立設した上部ブラケット８，８にろ布駆動軸９を支架して、ろ布駆動軸９の両端部にスプロケット１０，１０が嵌着してある。並列したろ板５・・・の上部に沿って配設して駆動力を伝達するスライドシャフト１１にこのろ布駆動軸９が連動連結してある。ろ板５の両端下部に垂下した下部ブラケット１２，１２に一対のリターンロール１３，１３が支架してあり、リターンロール１３の下方近傍に洗浄水パイプ１４を配設してある。ろ板５の中央部にろ過床５ａを形成して、上方中央部に原液供給口１５と下部両端にろ液排出口１６を開口してある。
【００１１】
図３はろ板間に吊設する一対のろ布の斜視図であって、ろ板５，５間に吊設するろ布１７は、一対のろ布１７，１７の上端縁を合着して袋部１８・・・を形成し、上部ろ布芯金１９を挿通してある。ろ布１７，１７の下端縁にもそれぞれ袋部２０，２０を形成して下部ろ布芯金２１，２１を挿通してある。一対のろ布１７，１７間に原液供給板２２を挟持して、ろ布１７の上方中央部に開口した通孔２３に原液供給板２２の原液通路２４を合着させ、原液供給板２２の原液通路２４から分岐してろ布１７のろ過面に原液を供給する給液路２５を設けてある。
【００１２】
図４はろ板間に一対のろ布を吊設するフィルタープレスの要部側面図であって、ろ板５の上部に立設した上部ブラケット８，８にろ布駆動軸９を支架して、このろ布駆動軸９に、図２に示す駆動力を伝達するスライドシャフト１１が連動連結してある。並列したろ板５，５・・・間に一対のろ布１７，１７が配設してあり、一対のろ布１７，１７を吊設する上部ろ布芯金１９の両端部に駆動チェーン２６を連結し、ろ板５の上部のろ布駆動軸９に嵌着したスプロケット１０，１０にそれぞれ掛け回してある。ろ板５の前後に吊設したろ布１７，１７の下端部をろ板５の下方に配設した一対のリターンロール１３，１３にそれぞれ掛け回して、ろ布１７の下端に挿通した下部ろ布芯金２１，２１の両端部を駆動チェーン２６，２６の他端に連結して、ろ布１７・・・を吊設してある。図２に示すスライドシャフト１１から駆動力をろ布駆動軸９に伝達しろ布１７・・・をシーソー状に昇降させる。
並列したろ板５・・・を閉板した時に、ろ布１７に吊設した原液供給板２２を前後のろ板５，５に挟持させ、ろ板５のろ過床５ａに張設した一対のろ布１７，１７間にろ過室２７を形成する。ろ板５，５に形成した原液供給口１５と原液供給板２２の原液通路２４を連通させて、原液供給板２２の給液路２５からろ過室２７に原液を圧入し、ろ布１７のろ過面で固液分離を行なう。
【００１３】
図５は付着ろ布の引き剥し装置の正面図であって、ろ板５の上端中央部に立設したリンク取付座２８にバネ内蔵形のリンクピン２９を水平状に支架してあり、ろ板５，５間の一対のろ布１７，１７を吊設する上部ろ布芯金１９の上方近傍に並設してある。本実施例ではろ板５の上端中央部にリンク取付座２８を立設しているが、ろ板５の両肩部の上部ブラケット８にリンクピン２９を支架させてもよい。
【００１４】
図６は付着ろ布の引き剥し装置の側面図であって、リンク取付座２８の中間部にストッパー３０がリアーフレーム３側（閉板側）に突設してあり、リンク取付座２８に支架させたバネ内蔵型のリンクピン２９に連結したＬ形リンク３１を傾倒自在に配設してある。並列したろ板５・・・を閉板した時に、一対のろ布１７，１７を吊設する上部ろ布芯金１９を囲繞するように、Ｌ形リンク３１の長さを閉板した一対のろ板５，５の幅（ｈ＋ｈ）に近似させて設定している。隣接するリンク取付座２８の高さを交互に異ならせて、閉板時にＬ形リンク３１が干渉しないようにしてある。
【００１５】
図７は付着ろ布の引き剥し装置の平面図であって、リンク取付座２８・・・に支架させたバネ内蔵型のリンクピン２９・・・は、その長さｍ１、ｍ２を交互に長短としてあり、並列したろ板５・・・を閉板して、リンクピン２９・・・のバネで閉板方向に傾倒させる。ストッパー３０に係止させて水平状態に維持させるＬ形リンク３１・・・は、リンクピン２９・・・の連結幅を交互に異ならせて干渉しないようにしてある。
【００１６】
図８は並列するろ板の開板初期の要部側面図であって、開板初期は、一対のろ布１７，１７にケーキを生成して並列するろ板５・・・を開板すると、リアーフレーム３側のろ板５にろ布１７が付着した状態で開板される。ろ布１７を吊設してある上部ろ布芯金１９もリアーフレーム３側のろ板５に近接している。
開板を継続してろ板５をフロントフレーム２側（開板側）に移動させると、ろ板５に連結されたＬ形リンク３１の先端部３１ａが、付着ろ布１７を吊設する上部ろ布芯金１９に係合する。
【００１７】
図９は並列するろ板の開板後期の要部側面図であって、さらに開板を継続して開板後期になると、ろ板５をフロントフレーム２側（開板側）に移動させると、Ｌ形リンク３１の先端部３１ａが上部ろ布芯金１９を係引し、リアーフレーム３側（閉板側）のろ板５に付着しているろ布１７を引き剥がす。
開板が終了すると、開板したろ板５，５間の中央に上部ろ布芯金１９が位置しており、ろ布１７はろ板５から完全に引き離されている。ろ板５，５間の中央部に位置する上部ろ布芯金１９に連結した駆動チェーン２６は、スプロケット１０から引張されており、駆動チェーン２６のたくれがなく、ろ布１７張りの緩みを吸収されている。ろ板５から引き剥がされたろ布１７は下降走行を開始する。ろ布１７の付着がないので、駆動チェーン２６のスプロケット１０からの外れ、或は駆動チェーン２６の駒飛びが発生することがない。
【００１８】
図１０はケーキ排出後にろ板間のろ布を所定位置に上昇させる状態を示す要部側面図であって、スプロケット１０，１０を逆転させて駆動チェーン２６を引き上げると、並列したろ板５，５・・・間の一対のろ布１７，１７を吊設する上部ろ布芯金１９が引き上げられる。上部ろ布芯金１９の上昇経路にＬ形リンク３１の先端部３１ａが位置しているため、上部ろ布芯金１９が上昇するとＬ形リンク３１の先端部３１ａの下端に当接して僅かに持ち上げ、所定位置でろ布１７の上昇を停止させる。
並列したろ板５，５間を閉板すると、Ｌ形リンク３１の先端部３１ａが上部ろ布芯金１９から外れ、図６に示すように、上部ろ布芯金１９はＬ形リンク３１の先端部３１ａの内側に位置する。上部ろ布芯金１９の上部近傍に覆って配設されたＬ形リンク３１は、バネ内蔵型のリンクピン２９・・・で閉板方向に傾倒される。ストッパー３０と係止し、水平状態に維持される。
【産業上の利用可能性】
【００１９】
この発明に係るろ布走行型フィルタープレスにおける付着ろ布の引き剥し装置は、並列したろ板の上部に閉板方向に傾倒させるＬ形リンクを配設し、閉板時に一対のろ布を吊設する上部ろ布芯金の上部近傍に配設し、開板時にＬ形リンクを上部ろ布芯金に係合させて開板方向にろ板から遠ざかる方向にろ布を引張するもので、駆動チェーンのたくれ、緩みを吸収し、ろ板に付着したろ布を引き剥がすことができる。従って、この発明は、ろ布走行型フィルタープレスを使用する上水汚泥、下水汚泥、或いは、産業排水汚泥等に適用できる。
【符号の説明】
【００２０】
５    ろ板
１０  スプロケット
１３  リターンロール
１７  ろ布
１９  上部ろ布芯金
２１  下部ろ布芯金
２６  駆動チェーン
２８  リンク取付座
２９  リンクピン
３０  ストッパー
３１  Ｌ形リンク
【図１】
0005585888.tif 000002
【図２】
0005585888.tif 000003
【図３】
0005585888.tif 000004
【図４】
0005585888.tif 000005
【図５】
0005585888.tif 000006
【図６】
0005585888.tif 000007
【図７】
0005585888.tif 000008
【図８】
0005585888.tif 000009
【図９】
0005585888.tif 000010
【図１０】
0005585888.tif 000011